(57)【要約】      （修正有）【課題】管状ドレイン排水溝部材、及び管状ドレイン排水床構造に関するものであり、より具体的にはドレイン水を受けて排水するばかりでなく、上蓋部が片側開閉可能であるため、容易に排水路を掃除することが可能である管状ドレイン排水溝部材、及び前記管状ドレイン排水溝部材を床材とともに設置し、ドレイン水が排水可能な管状ドレイン排水床構造に関する。【解決手段】屋外の床下地に設置されてドレインホースからのドレイン水を受けて流して排水するための長手方向に延びた排水路５を有する本体部２と、前記排水路を覆うための上蓋部からなる管状ドレイン排水溝部材１において、前記上蓋部が片側開閉可能に設けられ、前記排水路の側面の上方の延長上の面、又は前記排水路近傍の前記本体部上面に、前記上蓋部の開閉可能な側の縁部、又は前記縁部近傍に形成された凸部が嵌合可能な凹部が設けられたこと等を特徴とする。【選択図】図１
2008057143.tif 000002
【特許請求の範囲】
【請求項１】
屋外の床下地に設置されてドレインホースからのドレイン水を受けて流して排水するための長手方向に延びた排水路を有する本体部と、前記排水路を覆うための上蓋部からなる管状ドレイン排水溝部材において、前記上蓋部が片側開閉可能に設けられ、前記排水路の側面の上方の延長上の面、又は前記排水路近傍の前記本体部上面に、前記上蓋部の開閉可能な側の縁部、又は前記縁部近傍に形成された凸部が嵌合可能な凹部が設けられたことを特徴とする管状ドレイン排水溝部材。
【請求項２】
屋外の床下地に設置されてドレインホースからのドレイン水を受けて流して排水するための長手方向に延びた排水路を有する本体部と、前記排水路を覆うための上蓋部からなる管状ドレイン排水溝部材において、前記上蓋部が片側開閉可能に設けられ、前記排水路の側面部、又は前記排水路近傍の前記本体部上面に凸部、前記上蓋部の開閉可能な側の縁部、又は縁部近傍に前記凸部が嵌合可能な凹部が設けられたことを特徴とする管状ドレイン排水溝部材。
【請求項３】
前記上蓋部の開閉可能な側の前記排水路側面の少なくとも一方から前記上蓋部の下部に突起部が形成されていることを特徴とする請求項１、又は２に記載の管状ドレイン排水溝部材。
【請求項４】
前記上蓋部の開閉可能な側の縁部、及び嵌合可能な凹部に前記縁部、及び前記凹部が互いに掛止可能な掛止部を設けたことを特徴とする請求項１、又は３に記載の管状ドレイン排水溝部材。
【請求項５】
前記上蓋部、及び／又は本体部が二以上の層から構成されていることを特徴とする請求項１乃至４の何れか一に記載の管状ドレイン排水溝部材。
【請求項６】
前記上蓋部の長手方向に上部表面、及び／又は下部表面に屈曲溝を形成した請求項１乃至５の何れか一に記載の管状ドレイン排水溝部材。
【請求項７】
床材と、ドレインホースからのドレイン水を受けて流して排水するための長手方向に延びた排水路を有する本体部と、前記排水路を覆うための上蓋部からなる管状ドレイン排水溝部材とが設置された管状ドレイン排水床構造において、前記上蓋部が片側開閉可能に設けられ、前記排水路の側面、又は前記排水路近傍の前記本体部上面に、前記上蓋部の開閉可能な側の縁部、又は前記縁部近傍に形成された凸部が嵌合可能な凹部が設けられた管状ドレイン排水溝部材が床材に隣接するように床面に設置されたことを特徴とする管状ドレイン排水床構造。
【請求項８】
床材と、ドレインホースからのドレイン水を受けて流して排水するための長手方向に延びた排水路を有する本体部と、前記排水路を覆うための上蓋部からなる管状ドレイン排水溝部材とが設置された管状ドレイン排水床構造において、前記上蓋部が片側開閉可能に設けられ、前記排水路の側面部、又は前記排水路近傍の前記本体部上面に凸部、前記上蓋部の開閉可能な側の縁部、又は縁部近傍に前記凸部が嵌合可能な凹部が設けられた管状ドレイン排水溝部材が床材に隣接するように床面に設置されたことを特徴とする管状ドレイン排水床構造。
【請求項９】
前記上蓋部の開閉可能な側の前記排水路側面の少なくとも一方から前記上蓋部の下部に突起部が形成されている管状ドレイン排水溝部材が床材に隣接するように床面に設置されたことを特徴とする請求項７、又は８に記載の管状ドレイン排水床構造。
【請求項１０】
前記上蓋部の開閉可能な側の縁部、及び嵌合可能な凹部に前記縁部、及び前記凹部が互いに掛止可能な掛止部を設けた管状ドレイン排水溝部材が床材に隣接するように床面に設置されたことを特徴とする請求項７乃至９の何れか一に記載の管状ドレイン排水床構造。
【請求項１１】
前記上蓋部の上部表面、及び／又は下部表面に補強層が形成されていることを特徴とする管状ドレイン排水溝部材が床材に隣接するように床面に設置されたことを特徴とする請求項７乃至１０の何れか一に記載の管状ドレイン排水床構造。
【請求項１２】
前記上蓋部の長手方向に上部表面、及び／又は下部表面に屈曲溝が形成されている管状ドレイン排水溝部材が床材に隣接するように床面に設置されたことを特徴とする請求項７、乃至１１の何れか一に記載の管状ドレイン排水床構造。
【発明の詳細な説明】
【技術分野】
【０００１】
本発明は、管状ドレイン排水溝部材、及び管状ドレイン排水床構造に関するものであり、より具体的には排水路を覆う上蓋部を片側開閉可能とし、前記上蓋部の縁部等を前記排水路の側面等と嵌合可能にすることにより、前記上蓋部が容易に開閉することができるため、前記排水路に溜まった塵等を除去することが容易である管状ドレイン排水溝部材、及び前記管状ドレイン排水溝部材を床材とともに設置し、ドレイン水が排水可能な管状ドレイン排水床構造に関する。
【背景技術】
【０００２】
従来、マンション等の集合住宅の共通廊下やベランダ等である屋外には、通常、冷暖房機の室外機が設置されており、冷暖房機の室内機、及び室外機で発生した水はドレインホースによって、屋外へドレイン水として排出されている。
【０００３】
ところで、ドレイン水をそのまま屋外の床面に垂れ流すと、ドレイン水が床面に広がっていくため、ドレイン水の広がった場所に埃や砂等が付着し、床面に、汚れやしみができたりカビが発生したりしていた。また、ドレイン水により床面が濡れることにより、滑りやすくなり、歩行者の転倒事故が発生しやすくなり、安全性の観点からも好ましくなかった。
【０００４】
かかる実態に鑑み、ドレインホースからのドレイン水を排出するための溝状の排水路を設けたドレイン排水溝部材が提供されてきたが、排水路からのドレイン水の漏水や排水路へ塵等が溜まりやすく、実用上も美観上の問題点を有していた。
【０００５】
そこで、排水路からの漏水、及び排水路内の塵等の滞留等の問題点を解決するため、管状の排水処理用床部材および前記排水処理用床部材における一方の端部近傍に設けられた開口部にドレインホースと接続するための連結具を水密的に接合させたことを特徴とするドレイン排水溝部材（特許文献１）、廊下用床シートと略等しい厚さを有し、該床シートとともに廊下の床に貼着される帯状貼着板の表面に、幅方向の略中央に長手方向に浅溝のドレイン排水路を形成し、縁部を前記床シートの縁部と当接又は接合するようにした合成樹脂製のドレイン排水溝材において、前記ドレイン排水路に、長手方向に略同一の曲率の曲面形状の小流量用排水路を少なくとも１本形成したことを特徴とするドレイン排水溝材（特許文献２）、及び底壁部の両側縁に側壁部を形成した偏平な溝型材と、この溝型材に脱着自在に被着された蓋材とから成ることを特徴とする床用排水材（特許文献３）が提供されている。
【特許文献１】特開２００１−２８９４５９号公報
【特許文献２】特開２００３−２６２０３５号公報
【特許文献３】特開２００１−３３６２７４号公報
【発明の開示】
【発明が解決しようとする課題】
【０００６】
しかしながら、特許文献１に記載のドレイン排水溝部材では、排水路部分が上蓋部を取り外しすることができない完全な管状体となっているため、排水路中に塵等が溜まった場合であっても、当該塵等を除去することが非常に困難であり、メンテナンスの観点から改善が求められていた。
【０００７】
また、特許文献２、３に記載のドレイン排水溝部材は、排水路の上蓋部が取り外し可能であり、排水路に溜まった塵等を容易に除去可能であるが、一方、人の歩行や車椅子、台車等車輪を有するものが通過するときに踏圧や一定方向に加わる力によって、ドレイン水の漏水、又は排水路への塵等の浸入の原因となる上蓋部にズレが生じたり、場合によっては上蓋部が外れたりすることがあるため、さらなる改善が求められていた。
【課題を解決するための手段】
【０００８】
そこで、本発明は上記問題点を解決したものであり、請求項１記載の発明は、屋外の床下地に設置されてドレインホースからのドレイン水を受けて流して排水するための長手方向に延びた排水路を有する本体部と、前記排水路を覆うための上蓋部からなる管状ドレイン排水溝部材において、前記上蓋部が片側開閉可能に設けられ、前記排水路の側面、又は前記排水路近傍の前記本体部上面に、前記上蓋部の開閉可能な側の縁部、又は前記縁部近傍に形成された凸部が嵌合可能な凹部が設けられたことを特徴とする管状ドレイン排水溝部材を提供するものである。ここで、本明細書において、凸部とは本発明管状ドレイン排水溝部材の長手方向に連続的、又は断続的に設けられた突起状の部分をいい、凹部とは本発明管状ドレイン排水溝部材の長手方向に連続的、又は断続的に設けられた溝状の部分をいう。また、排水路とは上蓋部と本体部によって形成される空間をいう。
【０００９】
また、請求項２記載の発明は、屋外の床下地に設置されてドレインホースからのドレイン水を受けて流して排水するための長手方向に延びた排水路を有する本体部と、前記排水路を覆うための上蓋部からなる管状ドレイン排水溝部材において、前記上蓋部が片側開閉可能に設けられ、前記排水路の側面部、又は前記排水路近傍の前記本体部上面に凸部、前記上蓋部の開閉可能な側の縁部、又は縁部近傍に前記凸部が嵌合可能な凹部が設けられたことを特徴とする管状ドレイン排水溝部材を提供するものである。
【００１０】
また、請求項３記載の発明は、請求項１又は２記載の特徴に加え、前記上蓋部の開閉可能な側の前記排水路側面の少なくとも一方から前記上蓋部の下部に突起部が形成されていることを特徴とする管状ドレイン排水溝部材を提供するものである。
【００１１】
また、請求項４記載の発明は、請求項１、又は３の特徴に加え、前記上蓋部の開閉可能な側の縁部、及び嵌合可能な凹部に前記縁部、及び前記凹部が互いに掛止可能な掛止部を設けたことを特徴とする請求項１、又は３に記載の管状ドレイン排水溝部材とを特徴とするドレイン排水溝部材を提供するものである。
【００１２】
また、請求項５記載の発明は、請求項１乃至４の何れか一に記載の特徴に加え、前記上蓋部、及び／又は本体部が二以上の層から構成されていることを特徴とする請求項１乃至４の何れか一に記載の管状ドレイン排水溝部材を提供するものである。
【００１３】
また、請求項６記載の発明は、請求項５に記載の特徴に加え、前記上蓋部の長手方向に上部表面、及び／又は下部表面に屈曲溝を形成した請求項１乃至５の何れか一に記載の管状ドレイン排水溝部材を提供するものである。請求項６記載の発明により、排水路部材を構成する蓋部材と通水部材が互いに着脱可能に設けられているため、排水路部材が管状であっても、排水路内に塵等が溜まった場合に前記蓋部材を外して掃除することができることから、メンテナンス性の観点から非常に有効である。
【００１４】
また、請求項７記載の発明は、床材と、ドレインホースからのドレイン水を受けて流して排水するための長手方向に延びた排水路を有する本体部と、前記排水路を覆うための上蓋部からなる管状ドレイン排水溝部材とが設置された管状ドレイン排水床構造において、前記上蓋部が片側開閉可能に設けられ、前記排水路の側面、又は前記排水路近傍の前記本体部上面に、前記上蓋部の開閉可能な側の縁部、又は前記縁部近傍に形成された凸部が嵌合可能な凹部が設けられた管状ドレイン排水溝部材が床材に隣接するように床面に設置されたことを特徴とする管状ドレイン排水床構造を提供するものである。尚、本明細書において、床材とは、合成樹脂、石材、又は陶器からなるタイル、又はポリ塩化ビニル樹脂、ポリオレフィン樹脂等の熱可塑性樹脂からなるシートをいう。
【００１５】
また、請求項８記載の発明は、床材と、ドレインホースからのドレイン水を受けて流して排水するための長手方向に延びた排水路を有する本体部と、前記排水路を覆うための上蓋部からなる管状ドレイン排水溝部材とが設置された管状ドレイン排水床構造において、前記上蓋部が片側開閉可能に設けられ、前記排水路の側面部、又は前記排水路近傍の前記本体部上面に凸部、前記上蓋部の開閉可能な側の縁部、又は縁部近傍に前記凸部が嵌合可能な凹部が設けられた管状ドレイン排水溝部材が床材に隣接するように床面に設置されたことを特徴とする管状ドレイン排水床構造を提供するものである。
【００１６】
また、請求項９記載の発明は、請求項７、又は８の記載の特徴に加え、前記上蓋部の開閉可能な側の前記排水路側面の少なくとも一方から前記上蓋部の下部に突起部が形成されている管状ドレイン排水溝部材が床材に隣接するように床面に設置されたことを特徴とする管状ドレイン排水床構造を提供するものである。
【００１７】
また、請求項１０記載の発明は、請求項１乃至９に何れか一に記載の特徴に加え、前記上蓋部の開閉可能な側の縁部、及び嵌合可能な凹部に前記縁部、及び前記凹部が互いに掛止可能な掛止部を設けた管状ドレイン排水溝部材が床材に隣接するように床面に設置されたことを特徴とする管状ドレイン排水床構造を提供するものである。
【００１８】
また、請求項１１記載の発明は、請求項７乃至１０記載の何れか一に記載の特徴に加え、前記上蓋部の上部表面、及び／又は下部表面に補強層が形成されていることを特徴とする管状ドレイン排水溝部材が床材に隣接するように床面に設置されたことを特徴とする請求項７乃至１０の何れか一に記載の管状ドレイン排水床構造を提供するものである。
【００１９】
また、請求項１２記載の発明は、請求項７乃至１１に何れか一に記載の特徴に加え、前記上蓋部の長手方向に上部表面、及び／又は下部表面に屈曲溝が形成されている管状ドレイン排水溝部材が床材に隣接するように床面に設置されたことを特徴とする請求項７、乃至１１の何れか一に記載の管状ドレイン排水床構造を提供するものである。
【発明の効果】
【００２０】
本発明ドレイン排水溝部材によれば、排水路の上蓋部が片側開閉可能であるため、排水路にカビや塵等が付着、又は溜まった場合でも、前記排水路の塵等を除去することができる。
【００２１】
また、本発明ドレイン排水溝部材では上蓋部の開閉可能な側の縁部、又は当該縁部の近傍と、排水路の上縁、又は排水路上縁近傍の本体部上面に互いに嵌合可能な凸部、及び凹部を設けて、嵌合させるため、簡単な構造で容易に蓋部材の開閉可能な側を着脱することができ、メンテナンスの観点から非常に有用である。
【００２２】
また、本発明ドレイン排水溝部材の上蓋部の開閉可能な側の排水路側面から前記上蓋部の下部に突起部を形成することにより、上蓋部にかかる踏圧等を有効に支持し、排水路の導水スペースを確保することができる。
【００２３】
さらに、前記突起部を上蓋部の開閉可能な側に設ければ、前記上蓋部を支持することに加え、互いに嵌合・閉止されている上蓋部と本体部との隙間から排水路中のドレイン水が漏れ出すことを有効に防止することができる。
【００２４】
また、本発明ドレイン排水溝部材の上蓋部の開閉可能な縁部、及び嵌合可能な凹部が互いに掛止可能な掛止部を設けることにより、上蓋部と本体部をより安定的に嵌合させることができる。
【００２５】
また、本発明ドレイン排水溝部材の前記上蓋部、及び／又は本体部が二以上の層から構成されていることにより、例えば、上蓋部の表面に補強層を設けることにより上蓋部の踏圧等の上からの圧力への耐性や耐磨耗性を向上させることができる。
【００２６】
さらに、本発明ドレイン排水溝部材の上蓋部の上部表面、及び／又は下部表面に長手方向に屈曲溝を設けることにより、上蓋部の屈曲が容易となり、上蓋部の開閉が容易となり、排水路等のメンテナンスの観点から非常に有用である。
【００２７】
本発明ドレイン排水床構造によれば、ドレイン排水溝部材の排水路の上蓋部が片側開閉可能であるため、排水路にカビや塵等が付着、又は溜まった場合でも、前記排水路の塵等を除去することができる。
【００２８】
また、本発明ドレイン排水床構造によれば、ドレイン排水溝部材の上蓋部の開閉可能な側の縁部、又は当該縁部の近傍と、排水路側面の上方の延長上の面、又は排水路側面近傍の本体部上面に互いに嵌合可能な凸部、及び凹部を設けて、嵌合させるため、簡単な構造で容易に蓋部材の開閉可能な側を着脱することができ、メンテナンスの観点から非常に有用である。
【００２９】
また、本発明ドレイン排水床構造によれば、ドレイン排水溝部材の上蓋部の開閉可能な側の排水路側面から前記上蓋部の下部に突起部を形成することにより、上蓋部にかかる踏圧等を有効に支持し、排水路の導水スペースを確保することができる。
【００３０】
さらに、ドレイン排水溝部材の前記突起部を上蓋部の開閉可能な側に設ければ、前記上蓋部を支持することに加え、互いに嵌合・閉止されている上蓋部と本体部との隙間から排水路中のドレイン水が漏れ出すことを有効に防止することができる。
【００３１】
また、本発明ドレイン排水床構造によれば、ドレイン排水溝部材の上蓋部の開閉可能な縁部、及び嵌合可能な凹部が互いに掛止可能な掛止部を設けることにより、上蓋部と本体部をより安定的に嵌合させることができ、歩行等の実用上極めて有用である。
【００３２】
また、本発明ドレイン排水床構造によれば、ドレイン排水溝部材の上蓋部の上部表面、及び／又は下部表面に補強層を設けることにより、より上蓋部の踏圧等の上からの圧力への耐性や耐磨耗性を向上させることができる。
【００３３】
さらに、本発明ドレイン排水床構造によれば、ドレイン排水溝部材の上蓋部の上部表面、及び／又は下部表面に長手方向に屈曲溝を設けることにより、上蓋部の屈曲が容易となり、上蓋部の開閉が容易となり、排水路等のメンテナンスの観点から非常に有用である。
【発明を実施するための最良の形態】
【００３４】
以下、本発明を実施するための最良の形態について図面を参照しつつ詳述する。図１は本発明管状ドレイン排水溝部材の一例の施工状態の斜視図を示す。図１において、本発明管状ドレイン排水溝部材１は本体部２に設けられた排水路５を覆うための上蓋部３が片側開閉可能に設けられ、排水路の側面に形成された凹部に前記開閉可能に設けられた上蓋部の縁部が当該凹部に嵌合されることにより固定されている。前記上蓋部３は前記排水路側面の上方の延長上の面に設けられた凹部から、取り外すことにより上方に向かって開くことができ、排水路５を露出させることができる。ここで、本明細書において、上蓋部とは、排水路を覆い、管状体の排水路を形成する蓋部分、及び当該蓋部分を、嵌合することにより固定するために設けられた部分をいう。一方、本体部とは、本発明管状ドレイン排水溝部材において、上蓋部以外の部分をいう。
【００３５】
図２に本発明管状ドレイン排水溝部材の一例の断面図を示す。図２に示すように、本発明管状ドレイン排水溝部材２１の上蓋部の縁部２６が、排水路２５の側面延長上の面に設けられた凹部２７に嵌合することにより固定されている。本発明管状ドレイン排水溝部材２１の上蓋部の縁部２６と、排水路側面の上方の延長上の面に設けられた前記縁部と嵌合可能な凹部２７は、本発明管状ドレイン排水溝部材２１の長手方向全般にわたって、前記上蓋部の縁部２６と前記排水路側面の上方の延長上の面に設けられた凹部２７が互いに連続的に嵌合できるようにしてもよい。また、本発明管状ドレイン排水溝部材２１本発明管状ドレイン排水溝部材２１の長手方向のうちの一部分を、前記上蓋部の縁部２６と前記排水路側面の上方の延長上の面に設けられた凹部２７が互いにに嵌合できるようにしてもよい。
【００３６】
本発明管状ドレイン排水溝部材２１は、上蓋部の縁部２６を排水路側面の上方の延長上の面に設けられた凹部２７から取り外すことにより、上蓋部２３を上方に向かって開くことで、排水路２５を露出させることができ、前記排水路２５に溜まった塵や汚れ等を容易に除去することができる。
【００３７】
また、本発明管状ドレイン排水溝部材２１の排水路２５の外部側面に張出部２０、２０´を設けてもよい。当該張出部２０、２０´を設けることにより、本発明管状ドレイン排水溝部材２１と床材とを貼り合わせる際に、当該床材との隣接部分にシーリング剤を注入したり、或いは溶接棒等を用いて熱溶接を行うことができ、より安定的に施工することができる。
【００３８】
さらに、本発明管状ドレイン排水溝部材に排水路外部側面に張出部を設ける場合、図１に示すように双方の排水路外部側面に設けてもよいし、何れか一方の排水路外部側面に設けてもよい。本発明管状ドレイン排水溝部材に排水路外部側面の一方にのみ設けた実施形態では、例えば、壁面の直近に排水路を設けざるを得ないときに、張出部を壁面側に向けて施工することにより対処することも可能である。
【００３９】
本発明管状ドレイン排水溝部材は床材と隣接するように施工されることにより、本発明管状ドレイン排水床構造を構成する。本発明管状ドレイン排水溝部材と床材との当接部分はシーリング剤を注入、又は溶接棒を用いた熱溶接処理をすることによって水や塵等の浸入を防止することが好ましい。
【００４０】
また、本発明管状ドレイン排水溝部材は上記シーリング処理、又は熱溶接処理のみにより、床面に固定することも可能である。また、図２に示すように張出部の裏面に床材を挿設できる形状である場合には、床材を張出部裏面に挿設して接着剤により双方を貼着・固定することもできる。但し、本発明管状ドレイン排水溝部材を安定的に床面に固定する観点から、接着剤により当該管状ドレイン排水溝部材の裏面とを貼着・固定することが好ましい。
【００４１】
また、本発明管状ドレイン排水溝部材に設ける前記張出部の形状としては、図２に示すように、排水路２５の外部側面上縁部から張出した形状でもよいし、排水路外部側面中縁部から張出した形状（図示せず）でもよいし、又は排水路外部側面下縁部から張出した形状（図示せず）でもよいし、さらには、排水路外部側面の全面から張出した形状（図示せず）でもよい。
【００４２】
本発明管状ドレイン排水溝部材を構成する素材としては、上蓋部を開閉し、上蓋部縁部と排水路に設けられた凹部とを嵌合させることができ、かつ前記上蓋部縁部と前記凹部とを着脱できれば特に限定はされないが、ポリ塩化ビニル樹脂、ポリエチレン樹脂、ポリエステル樹脂、又はエチレン−酢酸ビニル共重合樹脂等の熱可塑性樹脂の他、フェノール樹脂、メラミン樹脂等の熱硬化性樹脂、及びＳＢＲ、ＣＲ等の熱可塑性エラストマー、さらには、金属類、セラミクスであってもよい。また、運送時、及び施工時の取り扱いの容易性の見地から、可撓性を付与できる素材、例えば、ポリ塩化ビニル樹脂、ポリエチレン樹脂、又はポリ塩化ビニル樹脂、若しくはポリエチレン樹脂とエチレン−酢酸ビニル共重合樹脂を混合した樹脂や熱可塑性エラストマーが好ましく用いることができる。本発明管状ドレイン排水溝部材を構成する素材は、上蓋部、及び本体部とがともに同一の素材である必要はなく、各々異なった素材で構成してもよい。
【００４３】
図３に本発明管状ドレイン排水溝部材の他の一例の断面図を示す。図３に示すように、前記上蓋部３３が片側開閉可能に設けられ、前記排水路３５の近傍の前記本体部３２の上面に、前記上蓋部３３の開閉可能な側の前記縁部近傍に形成された凸部３７が嵌合可能な凹部３６が設けられている。本実施形態では、上蓋部３３を上方に向かって引くことで容易に前記上蓋部縁部近傍に形成された凸部３７を本体部３２の上面に形成された凹部３６から容易に取り外すことができ、前記凸部３７を前記凹部３６に嵌合させる際も、前記凹部３６が目視しやすいため、双方を容易に嵌合・閉止することができる。
【００４４】
図４に本発明管状ドレイン排水溝部材の他の一例の断面図を示す。図４に示すように、前記上蓋部４３が片側開閉可能に設けられ、前記排水路４５の近傍の前記本体部４２の上面、及び前記排水路４５の側面延長上の面に、凹部４６が、前記上蓋部４３の開閉可能な側の前記縁部近傍、及び縁部に形成された凸部４７が設けられている。本実施形態では、上蓋部４３を２箇所の凸部４７、及び凹部４６で各々固定することができるため、上蓋部の安定的固定という観点から好ましい。
【００４５】
図５に本発明管状ドレイン排水溝部材の他の一例の部分断面図を示す。図５に示すように、本発明管状ドレイン排水溝部材の排水路５５の側面の上方延長上の面に形成された凸部に上蓋部５３の凹部５６を有する縁部を嵌合・閉止するようにしてもよい。本実施形態では、排水路側面の上方の延長上の面に設けられた凸部５７が目視しやすいため、容易に上蓋部縁部に形成された凹部５６と前記凸部５７とを嵌合・閉止することができる。
【００４６】
また、図６に本発明管状ドレイン排水溝部材の他の実施形態の一例の部分断面図として示すように、上蓋部６３の縁部に設けられた凹部６６に、本体部６２の上面部に設けられた凸部６７とを嵌合・閉止するようにしてもよい。本実施形態では、本体部６２上面に設けられた凸部６７が目視しやすいため、容易に上蓋部縁部に形成された凹部６６と前記凸部６７とを嵌合・閉止することができる。
【００４７】
また、本発明管状ドレイン排水溝部材では、図７に一例として示すように排水路側面から上蓋部の下部を支持するように突起部を形成してもよい。前記突起部７８、７８´は本発明管状ドレイン排水溝部材の長手方向に連続的に設けてもよいし、部分的に設けてもよい。前記突起部７８、７８´により、上蓋部７３に踏圧等の上からの圧力がかかっても前記突起部７８、７８´が上蓋部７３を支持するため、上蓋部７３の踏圧等による変形を最小限に抑え、排水路７５におけるドレイン水の円滑な導水を確保することができる。
【００４８】
また、前記上蓋部７３側に設けられた突起部７８は上記上蓋部７３の支持・補強効果を奏するほか、ドレイン水が排水路７５に大量に流れても、突起部７８によって、ドレイン水が上蓋部７３と本体部７２との嵌合部分から漏れ出すことも有効に防止することができる。
【００４９】
また、図７に示すように、排水路の両側面に設けてもよいし、何れか一方の側にのみ設けてもよいが、踏圧等による上からの圧力による上蓋部の変形の防止という観点から、突起部は排水路の両側面に設けることが好ましく、また、前記上蓋部と本体部との嵌合部分からのドレイン水の漏れの防止という観点から、前記上蓋部と本体部との嵌合部分側に突起部を設けることが好ましい。
【００５０】
本発明管状ドレイン排水溝部材の他の実施形態として、前記上蓋部の開閉可能な側の縁部、及び嵌合可能な凹部に互いに掛止可能な掛止部を設けてもよい。図８に本実施形態の一例の部分断面図を示す。図８に示すように、上蓋部８３の着脱可能な縁部８７、及び凹部８６に互いに掛止可能な掛止部Ｓ８が設けられている。当該掛止部Ｓ８により、上蓋部８３と本体部８２とをより安定的に嵌合・閉止することができる。
【００５１】
さらに、本発明管状ドレイン排水溝部材の他の実施形態として、前記上蓋部、及び／又は本体部が二以上の層から構成されていることが機能性付与の観点から好ましい（図示せず）。
【００５２】
上蓋部においては、例えば、の踏圧等に対する耐性を向上させることを目的として、上蓋部表面にポリエチレンテレフタレート、ポリカーボネート、さらには、アルミニウムからなる硬い層を設けることもできる。
【００５３】
また、例えば、上蓋部の耐磨耗性を向上させることを目的として、イソプレンゴム、ブタジエンゴム、スチレン・ブタジエンゴム等の熱可塑性エラストマー層や熱可塑性樹脂の樹脂含有率の高い層を上蓋部の表面に設けてもよい。
【００５４】
さらには、例えば、上蓋部表面に防滑性を付与することを目的として、上蓋部表面にポリエチレンテレフタレート等の熱可塑性樹脂からなるチップ、又はガラスチップを含有、表面から露出した層を設けてもよい。また、上記機能性の他、印刷層等を本発明管状ドレイン排水溝部材の表面に設けることにより、意匠付与の自由度、及び意匠性の向上という効果を奏することができる。
【００５５】
また、本体部においては、例えば。ドレイン水の導水性を向上させることを目的として、排水路の表面に界面活性剤を含む層を設けることにより、表面張力を低下させ、ドレイン水の導水性を向上させることもできる。
【００５６】
さらに、本発明管状ドレイン排水溝の他の実施形態として、前記上蓋部の長手方向に上部表面、及び／又は下部表面に屈曲溝を設けてもよい。図９に当該実施形態の一例の縦断面図を示す。図９に示すように、上蓋部９３に屈曲溝９９を設けることにより、上蓋部９３の屈曲が容易になり、上蓋部縁部９７を、排水路上縁に形成された凹部９６から取り外す作業が非常にやりやすくなる。
【００５７】
また、本実施形態においては、上蓋部の裏面のみならず、表面に屈曲溝を設けてもよいし、上蓋部の表面、及び裏面の双方に設けてもよい。
【産業上の利用可能性】
【００５８】
本発明管状ドレイン排水溝部材は上蓋部が開閉可能であることから、塵等が溜まりやすい排水路のメンテナンス等が容易かつ可能となるため、産業上の利用価値はきわめて高いものである。
【図面の簡単な説明】
【００５９】
【図１】本発明管状ドレイン排水溝部材の一例の施工状態の斜視図を示す。
【図２】本発明管状ドレイン排水溝部材の一例の断面図を示す。
【図３】本発明ドレイン排水溝部材の他の実施形態の一例の断面図を示す。
【図４】本発明管状ドレインの上蓋部が片側開閉可能に設けられ、前記排水路の近傍の前記本体部の上面、及び前記排水路の側面延長上の面に、凹部が、上蓋部の開閉可能な側の前記縁部近傍、及び縁部に形成された凸部が設けられた一例の断面図を示す。
【図５】排水路側面の上方延長上の面に形成された凸部に上蓋部の凹部を有する縁部を嵌合・閉止するようにした本発明ドレイン排水溝部材の一例の部分断面図を示す。
【図６】上蓋部の縁部に設けられた凹部に、本体部の上面部に設けられた凸部とを嵌合・閉止するようにした本発明管状ドレイン排水溝部材の一例の部分断面図を示す。
【図７】排水路側面から上蓋部の下部を支持するように形成された突起部を有する本発明ドレイン排水溝部材の一例の断面図を示す。
【図８】上蓋部の開閉可能な側の縁部、及び嵌合可能な凹部に互いに掛止可能な掛止部を設けた本発明ドレイン排水溝部材の一例の部分断面図を示す。
【図９】上蓋部に屈曲溝を設けた本発明ドレイン排水溝部材の一例の断面図を示す。
【符号の説明】
【００６０】
１、２１、３１、４１、５１、６１、７１、８１、９１：本発明ドレイン排水溝部材
２、２２、３２、４２、５２、６２、７２、８２、９２：本体部
３、２３、３３、３３´、４３、４３´、５３、６３、７３、８３、９３、：上蓋部
４、４´：床材
５、２５、３５、４５、５５、６５、７５、８５、９５：排水路
２０、２０´、３０、３０´、４０、４０´、５０、６０、７０、７０´、８０、９０、９０´：張出部
２６、３６、４６、７６、８６、９６：凹部（本体部）
５７、６７：凸部（本体部）
２７、７７、８７、９７：上蓋部縁部
５６、６６：凹部（上蓋部）
７８、７８´：突起部
９９：屈曲溝
Ｔ８：掛止部
【図１】
2008057143.tif 000003
【図２】
2008057143.tif 000004
【図３】
2008057143.tif 000005
【図４】
2008057143.tif 000006
【図５】
2008057143.tif 000007
【図６】
2008057143.tif 000008
【図７】
2008057143.tif 000009
【図８】
2008057143.tif 000010
【図９】
2008057143.tif 000011